【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
第１のフォーカス制御および該第１のフォーカス制御とは方式が異なる第２のフォーカス制御を行う制御手段と、
前記第１および第２のフォーカス制御のうち現在行われているフォーカス制御を撮影者に識別させるための情報を出力する情報出力手段とを有することを特徴とする撮像装置。
【請求項２】
前記制御手段は、前記第１のフォーカス制御を行った後、前記第２のフォーカス制御を行い、
前記情報出力手段は、前記第１のフォーカス制御が行われているときに前記情報を出力することを特徴とする請求項１に記載の撮像装置。
【請求項３】
前記情報出力手段は、動画撮影モードにおいて前記情報を出力することを特徴とする請求項１又は２に記載の撮像装置。
【請求項４】
前記情報出力手段は、音を出力することを特徴とする請求項１から３のいずれか１つに記載の撮像装置。
【請求項５】
前記情報出力手段は、画像記録中以外の状態で前記音を出力することを特徴とする請求項４に記載の撮像装置。
【請求項６】
前記情報出力手段は、ファインダ画面上に前記情報を表示することを特徴とする請求項１から３のいずれか１つに記載の撮像装置。
【請求項７】
前記第１のフォーカス制御は、被写体までの距離に応じた信号を取得し、該信号に基づいてフォーカスレンズの合焦位置を求める方式のフォーカス制御であることを特徴とする請求項１から６のいずれか１つに記載の撮像装置。
【請求項８】
前記第１のフォーカス制御は、撮影光学系からの光束により形成された対の像の位相差を求め、該位相差に基づいてフォーカスレンズの合焦位置を求める方式のフォーカス制御であることを特徴とする請求項１から６のいずれか１つに記載の撮像装置。
【請求項９】
前記第２のフォーカス制御は、撮像素子を用いて生成された映像信号の所定周波成分からフォーカス評価値信号を生成し、該フォーカス評価値信号に基づいてフォーカスレンズの合焦位置を求める方式のフォーカス制御であることを特徴とする請求項１から８のいずれか１つに記載の撮像装置。
【請求項１０】
第１のフォーカス制御を行うステップと、
該第１のフォーカス制御とは方式が異なる第２のフォーカス制御を行うステップと、
前記第１および第２のフォーカス制御のうち現在行われているフォーカス制御を撮影者に識別させるための情報を出力するステップとを有することを特徴とする撮像装置の制御方法。
【手続補正２】
【補正対象書類名】明細書
【補正対象項目名】０００９
【補正方法】変更
【補正の内容】
【０００９】
外部測距センサ３０２が撮影光軸からずれた位置に設けられている場合、ある被写体距離Ｄ２においては焦点検出エリアＡ１の中心ＡＣ１と測距エリアＡ２の中心ＡＣ２とが一致する。この場合は、ＴＶ−ＡＦ方式と外部測距方式とで同一被写体に対するフォーカス制御が行われる。しかし、被写体距離Ｄ２よりも遠い又は近い被写体距離Ｄ１，Ｄ３では、焦点検出エリアＡ１の中心ＡＣ１に対して測距エリアＡ２の中心ＡＣ２が上下方向にずれる。このため、外部測距方式で合焦目標となる被写体が、ＴＶ−ＡＦ方式による本来の（すなわち、撮影者が意図した）合焦目標の被写体と異なってしまう。
【手続補正３】
【補正対象書類名】明細書
【補正対象項目名】００２１
【補正方法】変更
【補正の内容】
【００２１】
一方、ＣＤＳ／ＡＧＣ回路１０７の映像信号出力は、ＡＦゲート１１２にも出力される。ＡＦゲート１１２では、全画面に相当する映像信号のうち第２のフォーカス制御であるＴＶ−ＡＦ方式によるフォーカス制御に用いられる画面範囲の信号を選択してＡＦ信号処理回路（第２の検出器）１１３に出力する。ここで、ＴＶ−ＡＦ方式のフォーカス制御に用いられる画面範囲は任意に設定可能であり、複数の範囲を設定してもよい。
【手続補正４】
【補正対象書類名】明細書
【補正対象項目名】００２４
【補正方法】変更
【補正の内容】
【００２４】
カメラ／ＡＦマイクロコンピュータ１１４は、ビデオカメラ全体の制御を司る。前述したＡＦ信号処理回路１１３の出力および後述する外部測距ユニット（第１の検出器）１１７の出力は、カメラ／ＡＦマイクロコンピュータ１１４に入力され、ＡＦ制御の演算に用いられる。カメラ／ＡＦマイクロコンピュータ１１４は、その演算結果に応じて、前述したフォーカシングモータ１１１に制御信号を出力し、フォーカスレンズ１０５を駆動させる。
【手続補正５】
【補正対象書類名】明細書
【補正対象項目名】００２５
【補正方法】変更
【補正の内容】
【００２５】
外部測距ユニット１１７は、外部測距方式（第１のフォーカス制御）、すなわち撮影光学系（撮影レンズ）を通ってきた光を使用せずに被写体までの距離に応じた信号を出力するタイプのセンサである。外部測距ユニット１１７は、被写体からの光束を２分割し、これら２分割した光束により形成された２像を一組のラインセンサにそれぞれ受光させる。そして、その受光量に応じて出力される信号のずれ量、すなわち光束の分割方向における２像の相対的位置ずれ量を検出することで、三角測量方法によって被写体までの距離を求める。
【手続補正６】
【補正対象書類名】明細書
【補正対象項目名】００２８
【補正方法】変更
【補正の内容】
【００２８】
また、このようなパッシブ方式での測距方式のほか、アクティブ方式の測距方式として、超音波センサを用いて測定した超音波の伝搬速度から距離を求める方式や、コンパクトカメラでよく使用される、被写体に投光した赤外線を用いた三角測距方式などがある。但し、測距方式はこれらに限られるものではない。
【手続補正７】
【補正対象書類名】明細書
【補正対象項目名】００２９
【補正方法】変更
【補正の内容】
【００２９】
カメラ／ＡＦマイクロコンピュータ１１４は、外部測距ユニット１１７によって測定された被写体までの距離情報（距離に応じた信号）と撮影光学系の焦点距離情報とに基づいて、合焦を得るためのフォーカスレンズ１０５の位置（合焦位置）を演算する。合焦位置は、テーブルデータから読み出してもよい。そして、フォーカシングモータ１１１に制御信号を出力して、フォーカスレンズ１０５を合焦位置に駆動する。外部測距方式のフォーカス制御を以下、「外部測距ＡＦ動作」という。なお、ズームレンズ１０２の位置は、不図示の位置センサからの出力又はズームモータ１１０の基準位置からの駆動パルスカウント値から得ることができる。
【手続補正８】
【補正対象書類名】明細書
【補正対象項目名】００３８
【補正方法】変更
【補正の内容】
【００３８】
外部測距ＡＦ動作により、フォーカスレンズ１０５を合焦位置近傍に駆動できた場合には、撮影記録中か非撮影記録中（画像記録中以外）かを判断する（ステップ３０７）。撮影記録中とは、撮影記録開始／終了スイッチ１１６の操作に応じて、カメラ信号処理回路１０８から出力された映像信号を記録ユニット１０９によって記録媒体に記録している状態である。また、非撮影記録中とは、カメラ信号処理回路１０８から出力された映像信号が、記録媒体には記録されず、モニタユニット１１５に電子ビューファインダ画像（ライブビュー画像）として表示されているのみの状態である。
【手続補正９】
【補正対象書類名】明細書
【補正対象項目名】００４１
【補正方法】変更
【補正の内容】
【００４１】
なお、上記情報の出力として、電子音の出力に代えて、モニタユニット１１５に、アイコンや文字等の表示情報を電子ビューファインダ画像（ファインダ画像上）に重畳させて表示してもよい。この場合、非撮影記録中のみではなく、撮影記録中にも情報出力を行ってもよい。
【手続補正１０】
【補正対象書類名】明細書
【補正対象項目名】００４５
【補正方法】変更
【補正の内容】
【００４５】
図４には、ＴＶ−ＡＦ動作のフローチャートを示している。ステップ４００でＴＶ−ＡＦ動作を開始すると、カメラ／ＡＦマイクロコンピュータ１１４は、ステップ４０１（これについては後述する）を経て、「微小駆動」を行う（ステップ４０２）。そして、この微小駆動におけるＡＦ評価値の変化を検出することで、合焦判定されたか否か（ステップ４０３）および合焦方向が判別されたか否か（ステップ４０４）を判別する。具体的には、微小量のフォーカスレンズ駆動を一定方向に数回行い、連続してＡＦ評価値が増加した場合は、その方向が合焦方向であると判別する。また、ＡＦ評価値が増加した後、減少に転じた場合には、合焦と判定する。
【手続補正１１】
【補正対象書類名】明細書
【補正対象項目名】００４７
【補正方法】変更
【補正の内容】
【００４７】
そして、ステップ４０３で合焦判定されたと判別すると、ステップ４０９に進み、フォーカスレンズ１０５を停止させる。そして、ＴＶ−ＡＦ動作の再起動（再実行）をするか否かを判定するために、ステップ４１０において、レンズ停止時のＡＦ評価値（ピーク値）を不図示のメモリに記憶する。その後、フォーカスレンズ１０５の停止中か否かの判定（ステップ４０１）で停止中と判定された場合は、ステップ４１１にて今回（最新）のＡＦ評価値を取り込む。
【手続補正１２】
【補正対象書類名】明細書
【補正対象項目名】００５０
【補正方法】変更
【補正の内容】
【００５０】
ステップ５０３では、該被写体距離情報と撮影光学系の焦点距離情報とに基づいて、フォーカスレンズ１０５の合焦位置を演算又はテーブルデータから読み出し、フォーカスレンズ１０５をその合焦位置に駆動する（ステップ５０４）。なお、外部測距ＡＦ動作にいう「合焦位置」は、ＴＶ−ＡＦ動作により得られる合焦位置の近傍の位置を意味する。
【手続補正１３】
【補正対象書類名】明細書
【補正対象項目名】００５３
【補正方法】変更
【補正の内容】
【００５３】
本実施例の撮影光学系は、物体側（図の左側）から順に配置された、第１固定レンズユニット１０１、ズームレンズ１０２、フォーカスレンズ１０５、絞り１０３および結像レンズユニット１２０を有する。なお、図中には、各レンズユニットが１枚のレンズにより構成されているように記載されているが、実際には、１枚のレンズにより構成されていてもよいし、複数枚のレンズにより構成されていてもよい。
【手続補正１４】
【補正対象書類名】明細書
【補正対象項目名】００５４
【補正方法】変更
【補正の内容】
【００５４】
また、本実施例の撮影光学系は、フォーカスレンズ１０５と絞り１０３との間に配置されたハーフプリズム１２１を含む。ハーフプリズム１２１は、分割した一方の光をサブミラー１２２を介して後述する位相差検出ユニット（第１の検出器）１２４に導き、他方の光を透過して撮像素子１０６に導く。本実施例のビデオカメラでは、絞り１０３は動画撮影中に動作するため、ハーフプリズム１２１は、絞り１０３よりも被写体側に配置される。
【手続補正１５】
【補正対象書類名】明細書
【補正対象項目名】００６０
【補正方法】変更
【補正の内容】
【００６０】
以上説明したように、上記各実施例によれば、ハイブリッドＡＦにより合焦動作を高速化および高精度化することができる。そして、外部測距ＡＦ動作又は位相差ＡＦ動作により合焦近傍へとフォーカスレンズ１０５を駆動する際に情報（電子音又は表示）の出力によって撮影者に外部測距ＡＦ動作中であることを識別させることができる。これにより、ハイブリッドＡＦの特徴である、ＴＶ−ＡＦ動作前の外部測距ＡＦ動作又は位相差ＡＦ動作が正常に機能しているかどうか、およびいつどのような場合に行われるかを撮影者に確認させることができる。また、外部測距ＡＦ動作によって本ビデオカメラのフォーカス制御が高速化しているということを、撮影者に実感させることができる。さらに、該情報の出力が停止することにより、外部測距ＡＦ動作又は位相差ＡＦ動作による合焦が得られたことを簡易的に撮影者に認識させることができる。